(57)【要約】【課題】プラグが回路基板から抜脱されることを防止し、且つ、プラグが抜脱されたとしてもその痕跡を残す。【解決手段】ケーブル（７５）の一端に保持されるプラグは、フック（７２）が押圧操作されることで回路基板に配設されたレセプタクルから抜脱され得る。そのプラグを下カバー（８１）と上カバー（８２）とから構成されるプラグケース（８０）内に挿入してプラグケース（８０）を閉じる。プラグケース（８０）が装着されたプラグをレセプタクルに差し込む。締結部（８７，９１）を締結ピンで締結し、プラグケース（８０）に封をする。【選択図】図７
2008093223.tif 000002
【特許請求の範囲】
【請求項１】
回路基板に設けられたレセプタクルに差し込まれたときに、レセプタクルに設けられた被係止部に係止する係止部材を有するプラグが、前記レセプタクルから抜脱することを防止する抜脱防止ロック装置であって、
前記プラグを挿入させる挿入用開口部と、この挿入用開口部に挿入された前記プラグの端子を露呈させる端子側開口部とが形成された筒状の本体部材と、この本体部材にヒンジ留めされ、挿入された前記プラグの前記係止部材を覆う閉じ位置と前記係止部材を露呈する開き位置との間で回動自在であり、前記閉じ位置のときに前記プラグから延出するケーブルを挿通させる切欠き部を有した蓋部材と、を有するプラグケースと、
前記蓋部材を前記本体部材に締結して前記閉じ位置に固定し、前記プラグケースに封をする締結部材と、を備えたことを特徴とする抜脱防止ロック装置。
【請求項２】
前記蓋部材の自由端には、蓋側締結孔が穿設された蓋側締結部が、分断可能な連結部を介して形成され、前記本体部材には、前記蓋部材が前記閉じ位置のときに前記蓋側締結孔と連通孔を形成する本体側締結孔が穿設されており、
前記締結部材が前記連通孔に挿通されることで前記蓋部材と前記本体部材とは締結状態となり、前記蓋部材が前記連結部で分断されることで前記締結状態が解除されることを特徴とする請求項１記載の抜脱防止ロック装置。
【請求項３】
前記本体部材は、前記回路基板又は前記レセプタクルに固定部材で固定されていることを特徴とする請求項１又は２記載の抜脱防止ロック装置。
【発明の詳細な説明】
【技術分野】
【０００１】
本発明は、パチンコ機などの遊技機内に設けられた回路基板に接続されるプラグの抜脱を防止する抜脱防止ロック装置に関する。
【背景技術】
【０００２】
パチンコ店などの遊技場に設置して使用される遊技機として、パチンコ機やスロットマシン（通称「パチスロ機」）などが挙げられる。これら遊技機は、遊技媒体としてパチンコ球やメダルなどを用いて遊技が行われる。遊技媒体には一定の価値が付加されているので、遊技者はより多くの遊技媒体を獲得することを目的として遊技を行うことになる。遊技では、ビッグボーナス（ＢＢ）やレギュラーボーナス（ＲＢ）などのボーナス役に入賞すると大量の遊技媒体を獲得することができるので、ボーナス役の入賞が目的となる。
【０００３】
ところで、遊技場の一日の売上げは、その日の開店時からたくさんの客を集められるか否かで大きく左右されるといわれている。そこで一部の遊技場では、前日の閉店後に店員が遊技機を操作してボーナス役を成立させ、複数の遊技機が開店後、遊技者が目押しすることによりボーナス役に入賞するようにしている。ボーナス役は、店員が遊技したり、打込み機を使用したりすることで作り出される。なお、打込み機は、遊技機の回路基板に接続して使用する装置のことであり、回路基板に接続すると遊技機が自動的に遊技を繰り返し、ボーナス役が成立した状態を作り出す。しかしながら、客に因らずしてボーナス役が成立した状態を作り出すこれらの行為は、風俗営業等の規制及び業務の適正化に関する法律（以下、「風適法」という。）に違反した犯罪行為である。
【０００４】
このような犯罪行為が跡を絶たないことから、その対策として、平成１６年に施行された改正風適法施行規則において、回路基板に手を加えると痕跡が残る構造とするなどの不正対策が遊技機メーカに義務付けられた。これを契機に、打込み機などの回路基板への接続を前提とした、回路基板に接続されたプラグを抜脱する行為を防止する抜脱防止ロック装置が提案されている（例えば、特許文献１，２参照）。これらの抜脱防止ロック装置は、プラグを回路基板に抜脱不能に固定する構成となっており、仮にプラグが抜脱された場合には、痕跡が残るようになっている。
【特許文献１】特開２００６−１３０２２９号公報
【特許文献２】特開２００６−１８１０３１号公報
【発明の開示】
【発明が解決しようとする課題】
【０００５】
一般に、不正対策手段が一つ提案されたからといって不正が完全に防止できるのではなく、また、時の経過とともに不正対策手段を掻い潜った不正が増えてくるものである。抜脱防止ロック装置においても同様のことがいえ、上記文献のものだけでなく、様々な形状のものが提案されることが望まれている。
【０００６】
本発明は、上記課題を解決するためになされたものであり、プラグが回路基板から抜脱されることを防止し、且つ、プラグが抜脱されたとしてもその痕跡を残すことができる抜脱防止ロック装置を提供することを目的とする。
【課題を解決するための手段】
【０００７】
上記目的を達成するために、本発明の抜脱防止ロック装置は、回路基板に設けられたレセプタクルに差し込まれたときに、レセプタクルに設けられた被係止部に係止する係止部材を有するプラグが、レセプタクルから抜脱することを防止する抜脱防止ロック装置であって、プラグを挿入させる挿入用開口部と、この挿入用開口部に挿入されたプラグの端子を露呈させる端子側開口部とが形成された筒状の本体部材と、この本体部材にヒンジ留めされ、挿入されたプラグの係止部材を覆う閉じ位置と係止部材を露呈する開き位置との間で回動自在であり、閉じ位置のときにプラグから延出するケーブルを挿通させる切欠き部を有した蓋部材と、を有するプラグケースと、蓋部材を本体部材に締結して閉じ位置に固定し、プラグケースに封をする締結部材と、を備えたことを特徴とする。
【０００８】
なお、蓋部材の自由端には、蓋側締結孔が穿設された蓋側締結部が、分断可能な連結部を介して形成され、本体部材には、蓋部材が閉じ位置のときに蓋側締結孔と連通孔を形成する本体側締結孔が穿設されており、締結部材が連通孔に挿通されることで蓋部材と本体部材とは締結状態となり、蓋部材が連結部で分断されることで締結状態が解除されることが好ましい。
【０００９】
また、本体部材は、回路基板又はレセプタクルに固定部材で固定されていることが好ましい。
【発明の効果】
【００１０】
本発明の抜脱防止ロック装置は、係止部材を覆うプラグケースを備えたことより、プラグケースの破壊などをしない限り係止部材が露呈して操作可能になることはないので、痕跡を残さずにプラグが抜脱されることはなく、打込み機などを使用した不正行為を防止することができる。
【００１１】
また、プラグケースを構成する蓋部材に、分断することでプラグの抜脱を可能にする分断部が形成されていることより、係止部材を操作するために蓋部材を開けるには、分断部を切断しなければならないので、プラグが抜脱されて打込み機などを使用した不正行為が行われたとしてもその痕跡を残すことができる。
【００１２】
さらに、本体部材が回路基板又はレセプタクルに固定部材で固定されていることより、プラグが強引に引っ張られても、プラグがレセプタクルから抜脱されることはない。
【発明を実施するための最良の形態】
【００１３】
図１に示すように、スロットマシン２は、収納箱４と、この収納箱４の前面に設けられた前面扉５とからなる筐体３の内部に、後述する第１リール１０、第２リール１１、第３リール１２、電源装置３５（図２参照）、ホッパー装置３６（図２参照）などが配設された構成である。
【００１４】
前面扉５は、上部扉６と下部扉７との２枚の扉から構成される。上部扉６には、表示窓８が設けられている。この表示窓８の奥には、第１リール１０、第２リール１１、第３リール１２が配設されている。周知のように、第１リール１０、第２リール１１、第３リール１２の外周面には、例えば、複数種類の図柄が複数個配列されている。第１リール１０、第２リール１１、第３リール１２が停止すると、第１リール１０、第２リール１１、第３リール１２の図柄が各３個、つまり合計９個、表示窓８から表示される。
【００１５】
下部扉７の上部には、遊技の開始時に操作される１枚ベットボタン２０、ＭＡＸベットボタン２１、ペイアウトボタン２２などの各種の操作ボタンが設けられている。
【００１６】
１枚ベットボタン２０は、投入されたメダルを１枚使用して遊技を行う場合に押圧操作されるボタンである。ＭＡＸベットボタン２１は、投入されたメダルを最大使用枚数（例えば、３枚）使用して遊技を行う場合に押圧操作されるボタンである。なお、メダルの投入とは、メダル投入口２８から直接メダルを投入する他に、クレジットされたメダルがある場合に、１枚ベットボタン２０やＭＡＸベットボタン２１を押圧操作することも含む。
【００１７】
これらの近傍には、スタートレバー２３や、第１ストップボタン２５、第２ストップボタン２６、第３ストップボタン２７が設けられている。スタートレバー２３は、遊技を実行する際に操作される。第１ストップボタン２５は、回転する第１リール１０を停止させる際に押圧操作されるボタンである。同様にして、第２ストップボタン２６、第３ストップボタン２７は、回転する第２リール１１、第３リール１２をそれぞれ停止させる際に押圧操作されるボタンである。
【００１８】
また、下部扉７には、遊技を行う際にメダルを投入するためのメダル投入口２８が設けられている。メダル投入口２８の奥にはセレクタが組み込まれ、不適正なメダルはメダル払出口２９を介してメダル受け皿３０に排出される。また、セレクタは、例えば遊技の途中や各種の操作ボタンが押されたままの状態で投入された等の不適切なタイミングでメダルの投入が行われたときに、投入されたメダルをメダル受け皿３０に排出する。なお、遊技の開始に先立って投入するメダルの枚数は１〜３枚に限られているため、クレジット機能を用いていないときには４枚目以降に投入されたメダルはメダル受け皿３０に排出される。
【００１９】
一方、クレジット機能がオン状態のときには４枚目以降に投入されたメダルは、セレクタに設けられたメダルセンサ（図示せず）で検知された後、例えば５０枚を限度にスロットマシン２の内部に貯留される。このクレジット機能を用いているときには、上述した１枚ベットボタン２０やＭＡＸベットボタン２１の操作によりメダルの投入操作が行われ、そのベット枚数がクレジット枚数から逐次減算される。また、遊技の結果、入賞が得られたときには配当となるメダルもクレジットされ、ペイアウトボタン２２を操作したときにクレジットされているメダルがメダル受け皿３０に払い出される。
【００２０】
図２に示すように、筐体３を構成する収納箱４の内部には、電源装置３５、ホッパー装置３６、第１リール１０、第２リール１１、第３リール１２を備えたリールユニット３７などが組み付けられる。なお、図２では、図の煩雑さを防止するために、第１リール１０、第２リール１１、第３リール１２の外周に配置される複数の図柄を省略してある。電源装置３５は、スロットマシン２の電力を供給するためのものである。
【００２１】
ホッパー装置３６は、収納箱４の下部に設けられている。ホッパー装置３６は、このスロットマシン２で遊技を行って入賞を得た場合に作動し、入賞に対するメダルを連続してメダル受け皿３０に払い出す。このホッパー装置３６の上部には、払出し用のメダルを貯留する貯留タンク３８が設けられている。この貯留タンク３８には、メダル投入口２８から投入されたメダルが貯留される。オーバーフロー用の貯留箱３９は、ホッパー装置３６の貯留タンク３８に貯留されたメダルが所定量を超えたときに、貯留タンク３８から排出されたメダルが貯留される。
【００２２】
この収納箱４の内部で、その上部には、回路基板収納ケース４１が配設されている。図３に示すように、回路基板収納ケース４１は、上ケース４２及び下ケース４３とから構成され、それぞれが透明な合成樹脂によって形成され、その内部に遊技制御回路基板４４が収納される。
【００２３】
上ケース４２は、底面が開口された略扁平箱型状であり、その上面に高さの異なる段差を有している。この上ケース４２の段差面４２ａには、回路基板収納ケース４１の内部に収納される遊技制御回路基板４４の上面に組み付けられたレセプタクル６５を回路基板収納ケース４１の外部に突出させる開口４５が、段差面４２ａの長手方向に沿って、例えば３箇所に設けられている。
【００２４】
下ケース４３は、上面が開口された箱型形状である。この下ケース４３の底面４３ａには、基板支持部５３が３箇所に設けられている。この基板支持部５３は、遊技制御回路基板４４に設けられたレセプタクル６５にプラグ７０（図４参照）が差し込まれる際に、遊技制御回路基板４４を下面から支持することで、遊戯制御回路基板４４が下方に撓むことによる遊技制御回路基板４４の破損を防止する。
【００２５】
遊技制御回路基板４４は、回路パターンが設けられた基板６０上にＣＰＵ（Central Processing Unit）６１、ＲＯＭ（Read Only Memory）６２、ＲＡＭ（Random Access Memory）６３等の回路構成部品が組み付けられることによって形成された制御回路を有している。また、この他に、他の制御回路基板や、電源装置３５等のスロットマシン２を構成する他の装置と、電気的に接続するための基板端子を保持するレセプタクル６５が配設されている。遊技制御回路基板４４を回路基板収納ケース４１に収納すると、レセプタクル６５は、上ケース４２に設けられた開口４５から外部に突出される。このレセプタクル６５には、図４に示すように、例えばケーブル７５の一端に保持されるプラグ７０が差し込まれ、接続される。このレセプタクル６５の外側面には、プラグ７０が差し込まれたときに、プラグ７０のフック７２の係止部７２ａが係止する係止突起６５ａが設けられている。
【００２６】
プラグ７０は、ケーブル７５の一端が保持されるプラグ本体７１と、プラグ本体７１の側面に一体成型されたフック７２と、プラグ本体７１の底面に設けられた接続端子（図示せず）とから構成される。フック（係止部材）７２は、プラグ本体７１と対面し、レセプタクル６５に設けられた係止突起６５ａに係止する係止部７２ａと、係止部７２ａの係止突起６５ａへの係止を解除する際にプラグ本体７１に向けて押圧操作される操作部７２ｂと、フック７２とプラグ本体７１とを連結させ、操作部７２ｂの操作時にフック７２を支持する支持部７２ｃとから構成されている。
【００２７】
仮に、プラグ７０をそのままレセプタクル６５に差し込むと、フック７２の係止部７２ａがレセプタクル６５の側面に設けられた係止突起６５ａに乗り上げることでフック７２が撓む。その後、プラグ７０のレセプタクル６５への差込みが完了すると、フック７２が元の状態に復帰し、プラグ７０を抜脱するときの係止部７２ａの移動軌跡上に係止突起６５ａが位置することになり、係止部７２ａが係止突起６５ａに係止することになる。なお、仮に操作部７２ｂがプラグ本体７１に向けて押圧操作されたとすると、支持部７２ｃを中心にして係止部７２ａがプラグ本体７１から離間するように変位し、見かけ上、プラグ７０が抜脱される際の、係止部７２ａの移動軌跡上から係止突起６５ａが退避した状態になる。これにより、係止部７２ａの係止突起６５ａへの係止が解除され、プラグ７０がレセプタクル６５から抜脱され得ることになる。
【００２８】
本発明においては、プラグ７０がレセプタクル６５から抜脱されないよう、プラグ７０は、プラグケース８０が装着された状態でレセプタクル６５に差し込まれ、接続される（図９参照）。プラグケース８０は、図５〜図８に示すように、上面及び下面に開口部（挿入用開口部）８１ａ，（端子側開口部）８１ｂを有した角型筒状である下カバー（本体部材）８１と、下カバー８１上面の開口部８１ａを塞ぐ上カバー（蓋部材）８２とから構成される。なお、プラグケース８０は、後述する締結ピン（締結部材）９４（図９参照）とで抜脱防止ロック装置９９を構成する。
【００２９】
下カバー８１は、上カバー８２を回動自在に取り付けるために開口部８１ａの一短辺に形成された回動軸８５と、開口部８１ａを塞ぐ閉じ位置に上カバー８２を係止するフック８６と、上カバー８２を閉じ位置に固定するために形成された締結部８７とが一体成型されている。フック８６は、回動軸８５が形成された短辺とは逆の短辺の両脇に、互いに対面するように２つ形成されている。フック８６の先端には、上カバー８２に形成された係止孔８２ａに係止する係止部８６ａが形成されている。
【００３０】
上カバー８２は、その両長辺が下カバー８１に向かってそれぞれ９０°折り返した、断面コ字型の形状をしている。上カバー８２の一短辺には、下カバー８１の回動軸８５に回動自在に取り付けるための軸受け９０が一体成型され、他短辺には、下カバー８１の開口部８１ａを塞ぐ閉じ位置に固定するための締結部９１が連結部９２を介して一体成型されている。また、上カバー８２は、その一方の側面から上面に掛けて切り欠かれた切欠き部８２ｂが形成されている。なお、連結部９２は後述する。
【００３１】
上カバー８２が下カバー８１の開口部８１ａを塞ぐ閉じ位置の場合、図５に示すように、係止部８６ａが係止孔８２ａ（図６参照）に係止している。フック８６が互いに近接する方向に押圧操作されると、係止部８６ａが係止孔８２ａに係止した状態は解除され、上カバー８２が回動軸８５を中心に回転し得る。
【００３２】
回動軸８５を中心に上カバー８２を回転させて開口部８１ａを開いた後、図６に示すように、プラグ７０を開口部８１ａに挿入する。なお、下カバー８１の一方の側面には、開口部８１ａから切り欠かれた切欠き部８１ｃが形成されており、切欠き部８１ｃ側にフック７２が向くようにプラグ７０を挿入することで、プラグ７０のフック７２を押圧操作することができる。
【００３３】
プラグ７０の下カバー８１への挿入が完了した後、図７に示すように、回動軸８５を中心に上カバー８２を回転させ、開口部８１ａを塞ぐ。上カバー８２によって開口部８１ａを塞ぐ際に、切欠き部８２ｂには、ケーブル７５を退避させることができる。開口部８１ａを塞ぐ方向に上カバー８２を回転させると、フック８６の係止部８６ａが上カバー８２に形成された係止孔８２ａの側端に乗り上げることでフック８６が撓む。
【００３４】
その後、プラグ７０の下カバー８１への挿入が完了すると、図８に示すように、フック８６が元の状態に復帰し、開口部８１ａが開く方向に上カバー８２を回転させるときの係止孔８２ａの側端の移動軌跡上に係止部８６ａが位置することになり、係止部８６ａが係止孔８２ａに係止することになる。これにより、プラグケース８０がプラグ７０に装着され、プラグ７０のフック７２を押圧操作することができなくなる。この時、上カバー８２の切欠き部８２ｂは、下カバー８１との間に開口部を形成し、ケーブル７５を挿通させている。また、下カバー８１の開口部８１ｂから、プラグ７０の接続端子（図示せず）が露呈している。
【００３５】
図９に示すように、プラグ７０をプラグケース８０が装着された状態でレセプタクル６５に差し込んでも、プラグケース８０が装着されていない状態と同様、係止部７２ａ（図４参照）が係止突起６５ａに係止することになる。なお、この状態のままでは、フック８６が互いに近接する方向に押圧操作されることで係止部８６ａが係止孔８２ａに係止した状態は解除され、回転軸を中心に上カバー８２を回転させて開口部８１ａを開き、フック７２を押圧操作してプラグ７０をレセプタクル６５から抜脱することができる（図６〜図８参照）。
【００３６】
本発明においては、プラグ７０がレセプタクル６５から抜脱されないよう、上カバー８２と下カバー８１とは締結ピン９４で締結され、開口部８１ａが開かれることのないようになっている。締結ピン９４は、図９に示すように、円形メダル状の笠部材９５と、この笠部材９５の下面から突出する掛止片９６と、笠部材９５の側面から垂直に延びる押さえ片９７とから構成される。掛止片９６は、角柱形状の軸部９６ａと、この軸部９６ａの先端に形成される鏃部９６ｂとから構成される。軸部９６ａは、上カバー８２の締結部（蓋側締結部）９１に形成される締結孔（蓋側締結孔）９１ａ（図１０〜図１２参照）と、下カバー８１の締結部８７に形成される締結孔（本体側締結孔）８７ａ（図１０〜図１２参照）とに挿通するために設けられている。鏃部９６ｂは、軸部９６ａの先端から笠部材９５に向けてハの字状に突出する一対の爪から構成される。その鏃部９６ｂは、締結部８７，９１の締結孔８７ａ，９１ａより一回り大きく形成されており、締結孔８７ａ，９１ａに挿入すると、締結孔８７ａ，９１ａの側端に乗り上げることで撓むようになっている。
【００３７】
下カバー８１の締結部８７は、図１０〜図１２に示すように、円筒形状の第１円筒部８７ｂと、その第１円筒部８７ｂの下段に形成され且つ第１円筒部８７ｂより径の小さい円筒形状の第２円筒部８７ｃとから構成される。これらの円筒部８７ｂと８７ｃとは、締結ピン９４の鏃部９６ｂより一回りサイズの小さい締結孔８７ａによって仕切られている。
【００３８】
上カバー８２の締結部９１は、図１０〜図１２に示すように、円筒形状の第１円筒部９１ｂと、その第１円筒部９１ｂの下段に形成され且つ第１円筒部９１ｂより径の小さい円筒形状の第２円筒部９１ｃとから構成される。第１円筒部９１ｂの内径は、結合ピン９４の笠部材９５より一回り大きく形成されている。第２円筒部９１ｃは、その内側が締結孔９１ａを形成している。また、第２円筒部９１ｃは、その外径が下カバー８１の第１円筒部８７ｂ内径より一回り小さく形成されている。上カバー８２が下カバー８１の開口部８１ａを閉じると、上カバー８２の第２円筒部９１ｃは下カバー８１の第１円筒部８７ｂに嵌合し、上カバー８２の締結孔９１ａと下カバー８１の締結孔８７ａとは連通し、挿通孔を形成する。
【００３９】
図１０に示すような、下カバー８１の開口部８１ａが閉じられた状態において、締結ピン９４の掛止片９６が上カバー８２の締結孔９１ａに挿入されると、図１１に示すように、鏃部９６ｂは、締結孔９１ａの側端に乗り上げることで撓む。さらに、締結ピン９４の掛止片９６を奥まで挿入すると、鏃部９６ｂは、図１２に示すように、上カバー８２の締結孔９１ａに連通する下カバー８１の締結孔８７ａを乗り越えて、元の状態に復帰する。鏃部９６ｂが元の状態に復帰したことにより、鏃部９６ｂの爪と下カバー８１の締結孔８７ａとが係合されることになる。鏃部９６ｂの爪と下カバー８１の締結孔８７ａとの係合により、上カバー８２は下カバー８１の開口部８１ａを閉じた状態で固定される。つまり、プラグ７０のフック７２が押圧操作されることはなく、プラグ７０がレセプタクル６５から抜脱されることはない。
【００４０】
なお、連結部（分断部）９２をニッパなどで分断することで、上、下カバー８２、８１の締結状態が解除され、上カバー８２を開いてプラグ７０をレセプタクル６５から抜脱することができる。但し、連結部９２は分断されており、痕跡が残る。
【００４１】
また、上記実施形態において、プラグ７０は、プラグ本体７１に一体成型されたフック７２の係止部７２ａが、レセプタクル６５に設けられた係止突起６５ａに係止することのみでレセプタクル６５との接続状態が保持される場合を例に説明したが、これだけに限定されるのではなく、それと併せて、プラグケース８０の下カバー８１が遊技制御回路基板４４に固定されるのでも良い。なお、この場合にいう遊技制御回路基板４４には、遊技制御回路基板４４を収納する回路基板収納ケース４１や、遊技制御回路基板４４に配設されたレセプタクル６５を含む。
【００４２】
例えば、図１３に示すように、プラグケース８０の下カバー８１下面に有する開口部８１ｂをレセプタクル６５に嵌合させて、下カバー８１の下面に形成する固定孔８１ｄと、回路基板収納ケース４１の上ケース４２に形成する固定孔４２ａとを連通させる。連通する固定孔８１ｄ，４２ａに固定ネジ１００を下カバー８１の内側から螺合して、プラグケース８０の下カバー８１を、回路基板収納ケース４１の上ケース４２に固定する。プラグ７０をレセプタクル６５に差し込んだ後、上カバー８２を回転させて開口部８１ａを塞ぐ。そして、上カバー８２と下カバー８１とを締結ピン９４（図９参照）で締結し、開口部８１ａが開かれることのないようにする。プラグケース８０が回路基板収納ケース４１に固定ネジ１００で固定されているので、プラグ７０が強引に引っ張られても、プラグ７０がレセプタクル６５から抜脱されることはない。また、固定ネジ１００が、下カバー８１の内側から固定孔８１ｄ，４２ａに螺合していることから、固定ネジ１００が抜かれることはない。
【００４３】
また、上記実施形態において、スロットマシン２に用いられるプラグ７０の場合を例に説明したが、これに限定されるのではなく、パチンコ機、その他の遊技機などにも応用可能である。
【図面の簡単な説明】
【００４４】
【図１】スロットマシンの外観斜視図である。
【図２】スロットマシン内部の構成を示す斜視図である。
【図３】スロットマシンの内部に組み込まれる遊技制御回路基板と、これを収納する収納ケースの構成を示す分解斜視図である。
【図４】レセプタクルとプラグとの接続状態を示す外観斜視図である。
【図５】プラグケースの外観斜視図である。
【図６】プラグケースをプラグへ装着する過程を示す外観斜視図である。
【図７】プラグケースをプラグへ装着する過程を示す外観斜視図である。
【図８】プラグケースのプラグへの装着状態を示す外観斜視図である。
【図９】レセプタクルとプラグケースが装着されたプラグとの接続状態を示す外観斜視図である。
【図１０】上カバーと下カバーとを締結する過程を示す締結部の横断面図である。
【図１１】上カバーと下カバーとを締結する過程を示す締結部の横断面図である。
【図１２】上カバーと下カバーとの締結状態を示す締結部の横断面図である。
【図１３】プラグケースを基板収納ケースへ固定する過程を示す横断面図である。
【符号の説明】
【００４５】
４１  回路基板収納ケース
４２  上ケース
４２ａ  固定孔
４４  遊技制御回路基板
６０  基板
６５  レセプタクル
６５ａ  係止突起
７０  プラグ
７１  プラグ本体
７２  フック
７２ａ  係止部
７２ｂ  操作部
７２ｃ  支持部
７５  ケーブル
８０  プラグケース
８１  下カバー
８１ａ，８１ｂ  開口部
８１ｃ  切欠き部
８１ｄ  固定孔
８２  上カバー
８２ａ  係止孔
８２ｂ  切欠き部
８５  回動軸
８６  フック
８６ａ  係止部
８７  締結部
８７ａ  締結孔
９７ｂ  第１円筒部
９７ｃ  第２円筒部
９０  軸受け
９１  締結部
９１ａ  締結孔
９１ｂ  第１円筒部
９１ｃ  第２円筒部
９２  連結部
９４  締結ピン
９５  笠部材
９６  掛止片
９６ａ  軸部
９６ｂ  鏃部
９７  押さえ片
９９  抜脱防止ロック装置
１００  固定ネジ
【図１】
2008093223.tif 000003
【図２】
2008093223.tif 000004
【図３】
2008093223.tif 000005
【図４】
2008093223.tif 000006
【図５】
2008093223.tif 000007
【図６】
2008093223.tif 000008
【図７】
2008093223.tif 000009
【図８】
2008093223.tif 000010
【図９】
2008093223.tif 000011
【図１０】
2008093223.tif 000012
【図１１】
2008093223.tif 000013
【図１２】
2008093223.tif 000014
【図１３】
2008093223.tif 000015